(57)【要約】【課題】スクリューベース形の電球口金で電球形ＬＥＤ光源を接続設置した場合、最終的に固定状態になった使用時点での方向性を任意に設定可能とした電球形ＬＥＤ光源を提供すること。【解決手段】本発明に係る電球形ＬＥＤ光源は、ＬＥＤの発光部の形状が電球口金に対して回転軸θ方向に対して非回転対称な形状である場合、または、複数のＬＥＤが電球口金の回転軸θ方向に対して非回転対称に配置である場合に、ＬＥＤと電球口金とを保持する筐体がＬＥＤを保持する部位と電球口金を保持する部位とを電球口金の回転軸θ方向に対して回転させる機構を有する。この構成により、スクリューベース口金を有する器具に電球形ＬＥＤを接続設置した場合、最終的に固定され使用状態になった時点での方向性を任意に設定することができる。【選択図】図１
2005276466.tif 000002
【特許請求の範囲】
【請求項１】
ＬＥＤと、
前記ＬＥＤに電力を供給するためのスクリューベース形の電球口金と、
前記ＬＥＤを保持する筐体と、
前記電球口金を保持する筐体と、
を有した電球形ＬＥＤ光源であって、
前記ＬＥＤの発光部の形状が、前記電球口金の回転軸θ方向に対して非回転対称な形状であり、
前記ＬＥＤを保持する筐体と前記電球口金を保持する筐体とを前記電球口金の回転軸θ方向に対して回転させる機構を更に備える、電球形ＬＥＤ光源。
【請求項２】
複数のＬＥＤと、
前記ＬＥＤに電力を供給するためのスクリューベース形の電球口金と、
前記ＬＥＤを保持する筐体と、
前記電球口金を保持する筐体と、
を有した電球形ＬＥＤ光源であって、
前記複数のＬＥＤが、前記電球口金の回転軸θ方向に対して非回転対称に配置されており、
前記ＬＥＤを保持する部位と前記電球口金を保持する部位とを前記電球口金の回転軸θ方向に対して回転させる機構を更に備える、電球形ＬＥＤ光源。
【発明の詳細な説明】
【技術分野】
【０００１】
本発明はＬＥＤの電球形光源に関する。
【背景技術】
【０００２】
従来の電球形ＬＥＤ光源としては、スクリューベースの電球口金に、ＬＥＤを平面的に並べたものがあった（特許文献１）。図２は、特許文献１に記載された従来の電球形ＬＥＤを示すものである。
【０００３】
また、従来の電球形ＬＥＤ光源としては、電球口金に、ＬＥＤを立体的に並べたものがあった（特許文献２）。図３は、特許文献２に記載された従来の電球形ＬＥＤを示すものである。
【特許文献１】登録実用新案第３０３４７４４号公報（図１）
【特許文献２】特開平９−２６５８０７号公報（図１）
【発明の開示】
【発明が解決しようとする課題】
【０００４】
図２および図３のＬＥＤの構成では、器具のスクリューベース形の電球口金（「エジソンベース電球口金」とも言われる）に電球形ＬＥＤ光源を接続設置した場合、最終的に固定状態になった時点での方向性が任意に定まらないという課題を有していた。
【０００５】
図２および図３のＬＥＤの構成においては、スクリューベース形の電球口金以外のプリフォーカス（Ｐｒｅｆｏｃａｓ  Ｂａｓｅ）口金、ピン口金などを採用した場合に初めてＬＥＤの方向性が一義に決まることになる。しかしながら、電球口金として多くを占めるスクリューベース形の電球口金においては、ＬＥＤダイの方向性やＬＥＤの配列が、最終的に固定状態になった使用時点では一義的に決まらないという課題があった。
【０００６】
これら従来の課題を図４従来の課題の概念図を使用して詳細に述べる。
【０００７】
発光部の形状が任意で目立ちやすいＬＥＤを照明応用する場合の課題として、特にスクリューベースの口金用電球形ＬＥＤ光源を複数使用し実環境に使用しようとした場合、単体での検討使用では目立たなかった実用的な課題があることを見出した。
【０００８】
例えば、天井に複数ダウンライト光源として上記電球形ＬＥＤ光源を使用する場合、スクリューベース形電球口金（以下、単に「スクリューベース口金」とも呼ぶ）でセットされた最終設置方向が定まらないのでＬＥＤの発光部の形状の向きが一定方向に定まらずに、美観を損ねるという課題があった。
【０００９】
図４は、事例として口金と反対側からＬＥＤの発光部４０１と、ＬＥＤを保持する筐体４０２の幾何的な状態を模式的に示したものである。なお、図４はダウンライトに電球形ＬＥＤ光源を設置した場合に下方から見た電球形ＬＥＤ光源を模式的に示している。
【００１０】
事例１は複数のＬＥＤの発光部４０１の幾何的配列、事例２は単数の大型のＬＥＤの発光部４０１の形状が、スクリューベースの口金を有する照明器具にねじ込み設置された状況を、照明器具開口部側から眺めた模式図である。図４のごとく、スクリューベース口金では、ねじ込み設置された最終使用状態での口金挿入方向に対する回転軸側の方向が定まらず、複数の光源が並んだ場合、美観的に非常に見苦しい状況が発生する。
【００１１】
例えば、天井ダウンライトなどにこれらを使用したとき、その視環境に居る人間には発光部パターンの不ぞろいが見苦しく、また、照明器具の発光部の明るさ（輝度）も、たまたま電球形ＬＥＤ光源が向いていた方向で無作為に変化しこれらの見苦しさが、照明のむら、ばらつきと感じられてしまう。
【００１２】
これらの課題は、一事例であるが、スクリューベースの口金に対して幾何配列や発光形状が同心円状でないかぎり、すなわち、ＬＥＤの幾何学的配列や発光形状がスクリューベース口金の回転軸θ方向に対して回転対称で無い場合（非回転対称の場合）に発生するものである。
【００１３】
さらに、電球形ＬＥＤ光源の配光特性が電球口金の回転軸θ方向に対して回転対称で無い場合（非回転対称の場合）、照明としての配光が一定に定まらず、被照面の明るさがばらつき、照明設計が行えないという照明設計上の課題もあった。
【００１４】
特に、先行事例として示した特許文献２のごとくＬＥＤが立体的に配置され、照明器具の反射板に一度反射してから照明器具から光が放射されるタイプの電球形ＬＥＤ光源においては、口金挿入方向に対する回転軸側の円周方向に全周囲配光が均一でないと、照明器具からの光出射パターンが非常に大きく不揃いになる。
【００１５】
これらは、ＬＥＤのダイが０．３ｍｍ角以上に大型化してくるとさらに顕著になり、ＬＥＤのダイ自体がＬＥＤの配光特性が前記電球口金の回転軸θ方向に対して回転対称でないため、事例２のごとく発光部の大きいＬＥＤをスクリューベース形電球口金を有する電球形ＬＥＤ光源に使用しようとした場合、これら配光特性や、発光部の形の向きそろえて、美観や、配光ばらつきによる照明設計の困難を改善する必要がある。
【００１６】
本発明は、上記課題を解決するためになされ、その目的とするところは、スクリューベース形の電球口金で電球形ＬＥＤ光源を接続設置した場合、最終的に固定状態になった使用時点での方向性を任意に設定可能とした電球形ＬＥＤ光源を提供することにある。
【課題を解決するための手段】
【００１７】
上記従来の課題を解決するため、本発明の電球形ＬＥＤ光源は、ＬＥＤと、前記ＬＥＤに電力を供給するためのスクリューベース形の電球口金と、前記ＬＥＤを保持する筐体と、前記電球口金を保持する筐体と、を有した電球形ＬＥＤ光源であって、前記ＬＥＤの発光部の形状が、前記電球口金の回転軸θ方向に対して非回転対称な形状であり、前記ＬＥＤを保持する筐体と前記電球口金を保持する筐体とを前記電球口金の回転軸θ方向に対して回転させる機構を更に備える。
【００１８】
また、本発明の電球形ＬＥＤ光源は、複数のＬＥＤと、前記ＬＥＤに電力を供給するためのスクリューベース形の電球口金と、前記ＬＥＤを保持する筐体と、前記電球口金を保持する筐体と、を有した電球形ＬＥＤ光源であって、前記複数のＬＥＤが、前記電球口金の回転軸θ方向に対して非回転対称に配置されており、前記ＬＥＤを保持する部位と前記電球口金を保持する部位とを前記電球口金の回転軸θ方向に対して回転させる機構を更に備える。
【発明の効果】
【００１９】
以上のように、本発明に係る電球形ＬＥＤ光源は、ＬＥＤの発光部の形状が電球口金に対して回転軸θ方向に対して非回転対称な形状である場合、または、複数のＬＥＤが電球口金の回転軸θ方向に対して非回転対称に配置である場合に、ＬＥＤと電球口金とを保持する筐体がＬＥＤを保持する部位と電球口金を保持する部位とを電球口金の回転軸θ方向に対して回転させる機構を有する。この構成により、スクリューベース口金を有する器具に電球形ＬＥＤを接続設置した場合、最終的に固定され使用状態になった時点での方向性を任意に設定することができる。
【発明を実施するための最良の形態】
【００２０】
以下、本発明の実施形態を、図面を参照しながら説明する。
【００２１】
（実施の形態１）
図１は、本発明の第１の実施の形態における電球形ＬＥＤ光源を示すものである。
【００２２】
図１において、１０１はスクリューベース形の電球口金、１０２はＬＥＤ、１０３はスクリューベース形電球口金１０１を保持する筐体、１０４はＬＥＤ１０２を保持する筐体、１０５は筐体１０３と筐体１０４とを電球口金１０１の回転軸θ方向に対して回転する機構である。
【００２３】
複数のＬＥＤ１０２は、電球口金１０１の回転軸θ方向に対して回転対称で無いように配置（非回転対称で配置）されている。本実施形態では、四角形になるように配列されている。
【００２４】
回転機構１０５を筐体１０４と筐体１０３との間に設けることで、電球口金１０１を備える筐体部１０３と、ＬＥＤ１０２を備える筐体部１０４とが、電球口金１０１の回転軸θ方向に対して回転可能となる。この構成により、電球口金１０１で電球形ＬＥＤ光源を接続設置した場合、最終的に固定状態になった使用時点で、ＬＥＤ１０２の発光部の電球１０１の回転軸θ方向の方向性を任意に設定可能とした電球形ＬＥＤ光源を提供することができる。特に、この効果は、ＬＥＤの発光部が直接的に視認できる電球形ＬＥＤ光源に顕著である。それは、従来のフィラメントを使用した白熱電球よりもＬＥＤの発光部の形状がより良く知覚できるからである。したがって、多数の電球形ＬＥＤ光源を使用する場合には、ＬＥＤ１０２の発光部の形状の方向が隣り合うＬＥＤ光源で異なると非常に違和感を感じ、大きな課題となる（図４）。本発明は、この課題を解決することできる。
【００２５】
また、ＬＥＤの配光特性が電球口金１０１の回転軸θ方向に対して非回転対称である場合、電球形ＬＥＤ光源のスクリューベース形の電球口金１０１の固定角度によっては、隣り合う電球形ＬＥＤ光源のＬＥＤ発光部の配置がばつく（例えば図４の事例１）。このため、照明としての配光が一定に定まらず、被照面の明るさがばらつき、照明設計が行えないという照明設計上の課題がある。しかし、回転機構１０５を筐体１０４と筐体１０３との間に設けることで、隣り合う電球型ＬＥＤ光源のＬＥＤ発光部の配置を合わせることができ、照明としての配光を一定に定めることができ、照明設計を容易に行うこともできる。
【００２６】
実施形態１において、より詳細には、電球口金１０１を備える筐体部１０３はＬＥＤ１０２を点灯させる点灯回路を内蔵したものであり、電気絶縁と放熱の関係から樹脂製（ＰＢＴ樹脂）であることが実用的である。
【００２７】
ＬＥＤ１０２を備える筐体部１０４はＬＥＤダイからの発熱を、樹脂材料より効率的に放熱するために金属（アルミ）であることが実用的である。
【００２８】
また、ＬＥＤ発光部を備える筐体部１０４の側面の少なくとも一部に傾斜をかけておけば、図１中のＬＥＤ１０２方向から指で、電球口金を備える筐体部１０３をつまむことが可能で、電球口金から電球形ＬＥＤ光源を抜き差しする動作が行いやすい。
【００２９】
また、図６は回転機構１０５の概念断面図の一例であり、電球口金１０１を保持する筐体１０３と、ＬＥＤを保持する筐体１０４とを電球口金１０１の回転軸θ方向に対して回転する機構の概念向断面図である。
【００３０】
筐体１０４と筐体１０３の勘合部において、ＬＥＤ発光部を備える筐体１０４にピン６０１が設定されており、筐体１０３にそのピンの回転回数・角度を規制するストッパー６０２機構が組み込まれている。
【００３１】
また、図中の筐体内部空間はこられは筐体１０３からＬＥＤ発光部を有する筐体１０４に給電する配線を通す空間部である。
【００３２】
筐体１０４と筐体１０３に回転のストッパー機構が存在するのは、筐体１０３からＬＥＤ発光部を有する筐体１０４に給電する配線を通す必要があるためで、回転を無制限に許容すれば配線のねじれが生じるためである。この配線のねじれを勘案すれば回転は１回転以下、望ましくは１８０度以内が良い。
【００３３】
回転機構１０５で給電配線を、誘導給電やばね接点を使用して分離すれば、配線のねじれの心配は克服される。ただし、部材が増加しコスト上昇を招いてしまう。さらには、電球形ＬＥＤ光源のスクリューベースを照明装置にねじ入れて設置、または、脱離しようとした場合、ＬＥＤを保持する筐体が無制限に回転し、ねじ込みや脱離が困難になってしまう。
【００３４】
また、回転の動作の操作感が向上のため回転部分にラッチやばねで回転運動にトルクをかけて、回転運動がフリーにならないような機構を組み込むことも可能である。さらに、この回転運動に対し、メカニカルにロックと開放をかける機能を盛り込むことも可能である。
【００３５】
なお、本実施形態では、複数のＬＥＤ１０２が電球口金１０１の回転軸θ方向に対して非回転対称に配置されている場合について説明したが、ＬＥＤのダイ自身が０．３ｍｍ角以上に大型化になった場合に、そのダイ自身がＬＥＤの配光特性が電球口金１０１の回転軸θ方向に対して非回転対称である場合も同様な効果を有する。
【００３６】
以上のように、本発明に係る電球形ＬＥＤ光源は、ＬＥＤの発光部の形状が電球口金に対して回転軸θ方向に対して非回転対称な形状である場合、または、複数のＬＥＤが電球口金の回転軸θ方向に対して非回転対称に配置である場合に、ＬＥＤと電球口金とを保持する筐体がＬＥＤを保持する部位と電球口金を保持する部位とを電球口金の回転軸θ方向に対して回転させる機構を有する。この構成により、実施用環境下での器具への設置後の配光パターンの合わせ込みと、見た目の電球形ＬＥＤ光源の方向性のあわせ込みが容易となる。
【００３７】
これは、実照明空間に多数個電球形ＬＥＤ光源を使用した際の美観と照明の配光制御に有利である。また、電球口金１０１を保持する筐体１０３とＬＥＤを保持する筐体１０４とを分離したことにより、電球形ＬＥＤ光源のねじ込みや脱離が電球口金１０１を保持する筐体１０３で確実に行えるため、設置容易性は低下しない。
【００３８】
また、ＬＥＤ１０２の平面的な配置や立体的な配置に限らず、電球口金１０１の回転軸θ方向に対して敢えて不均一な配光パターン（事例として楕円配光やバットウイング配光）を有した電球形ＬＥＤ光源としておけば、電球形ＬＥＤ光源を設置後、積極的に配光パターンを、回転機構の回転に伴って任意の方向に振り向けることも可能となり、照明環境を大きく変えることが可能となる。
【００３９】
さらには、自動的に回転する機構を組み込めば、配光の電球口金１０１の回転軸θ方向に対して配光を変える自動制御も可能となる。
【００４０】
（実施の形態２）
また、図５は本発明の回転機構の設定位置の第２の実施の形態である。
【００４１】
図５において、１０１はスクリューベース形の電球口金、１０２は複数のＬＥＤ、５０３はスクリューベース形電球口金を保持する筐体、５０４はＬＥＤを保持する筐体、５０５は筐体５０３と筐体５０４とを電球口金１０１の回転軸θ方向に対して回転する回転機構である。
【００４２】
ただし、この場合、５０７として放熱部を保持する筐体が、筐体５０３と筐体５０４との間に介在している。図５の場合、円盤型のヒートシンクを積み重ねた形の放熱板を一実施形態として記載している。
【００４３】
実施形態１と比較して、本実施形態のようにＬＥＤを保持する筐体５０４を小さくすれば、回転部分の重量が小さくなり、回転に必要な力が小さくて済む。
【００４４】
また、放熱部５０７は放熱のための放熱部材として、ヒートシンクやヒートパイプ、ファンなどを内蔵することも可能であり、このとき、発光部であるＬＥＤ１０２以外の部材を回転させる必要がなくなるため、構造のシンプル化とメカニカルな信頼性が向上する。
【００４５】
逆に、回転機構５０５をＬＥＤを保持する筐体５０４と一体化させ、放熱部５０７と電球口金１０１を保持する筐体５０３との間に回転機構５０５を設けることも可能であり、この場合、回転機構が介在しない分、ＬＥＤからの発熱を効率よく放熱部に伝えることができる。
【００４６】
（実施の形態３）
図７は、本発明の第３の実施の形態における電球形ＬＥＤ光源を示すものである。
【００４７】
図７において、１０１はスクリューベース形電球口金、１０２はＬＥＤ、７０３は電球口金１０１を保持する筐体、７０４はＬＥＤ１０２を保持する筐体、７０５は筐体７０３と筐体７０４とを電球口金１０１の回転軸θ方向に対して回転する回転機構である。本実施形態では、ＬＥＤ１０２を保持する筐体７０４をできるだけ小さくするため、ＬＥＤ１０２が配置されている部分を最小限含むような大きさの筐体７０４としている。
【００４８】
本実施形態のように、ＬＥＤ発光部の回転部分をＬＥＤ発光部分により小さく限定することによって筐体の表面に非回転部分を増加させることができ、電球形ＬＥＤ光源のねじ込みや脱離する場合に電球形ＬＥＤ光源の照明器具へのとりつけ・取り離しを容易化できる。
【００４９】
（実施の形態４）
図８は、本発明の第４の実施の形態における電球形ＬＥＤ光源を示すものである。図８において、実施形態１の構成と異なるところは複数のＬＥＤが立体的または多面体上に配置された電球形ＬＥＤ光源であることである。
【００５０】
図８において、１０１はスクリューベース形電球口金、１０２はＬＥＤ、８０３は電球口金１０１を保持する筐体、８０４はＬＥＤを保持する筐体、８０５は筐体８０３と筐体８０４とを電球口金１０１の回転軸θ方向に対して回転する回転機構である。
【００５１】
詳細にはＬＥＤを立体的に実装する際にその実装容易性から、平面の実装基板上へＬＥＤが実装されるが、これを、立体的に構成するにあたって、ＬＥＤの実装基板で多面体構造をとることが多い。
【００５２】
この際、電球口金１０１の回転軸θ方向に対して全方向に同一の配光パターンを実現することが困難となるため、回転機構８０５を設定することで、器具への設置後の配光パターンの合わせこみと、見た目の電球形ＬＥＤ光源の方向性のあわせ込みが容易となる。
【産業上の利用可能性】
【００５３】
本発明の電球形ＬＥＤ光源は、設置後の照明視環境を発光部分と被照射面の両面から好的に調整可能であるため、照明用の電球形ＬＥＤ光源等として有用である。
【図面の簡単な説明】
【００５４】
【図１】本発明の第１の実施の形態における電球形ＬＥＤ光源を模式的に示す図
【図２】従来のＬＥＤ光源を示す図
【図３】従来のＬＥＤ光源を示す図
【図４】従来の課題の概念図
【図５】本発明の回転機構の設定位置の第１の実施の形態を示す図
【図６】回転機構１０５の模式断面図
【図７】本発明の第３の実施の形態における電球形ＬＥＤ光源を模式的に示す図
【図８】本発明の第４の実施の形態における電球形ＬＥＤ光源を模式的に示す図
【符号の説明】
【００５５】
１０１    スクリューベース形の電球口金
１０２，４０１    ＬＥＤ
１０３，５０３，７０３，８０３    電球口金１０１を保持する筐体
１０４，４０２，５０４，７０４，８０４    ＬＥＤを保持する筐体
１０５，５０５，７０５，８０５    回転機構
６０１    ピン
６０２    ストッパー
【図１】
2005276466.tif 000003
【図２】
2005276466.tif 000004
【図３】
2005276466.tif 000005
【図４】
2005276466.tif 000006
【図５】
2005276466.tif 000007
【図６】
2005276466.tif 000008
【図７】
2005276466.tif 000009
【図８】
2005276466.tif 000010